【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
ＳＡＣＭ（smart  architecture  cell  mesh）ネットワークを確立する方法であって、
複数のメッシュノードを配置するステップであって、各メッシュノードは、他のメッシュノードと通信する機能と、サービスネットワークへのアクセスを提供するゲートウェイ機能とを有し、前記サービスネットワークは無線通信サービスを提供する、ステップと、
前記メッシュノード間に複数のリンクを確立するステップであって、各前記リンクは前記メッシュノードのうちの２つを接続する、ステップと、
前記複数のメッシュノードから、少なくとも１つのダイナミックゲートウェイノードとして機能すべき少なくとも１つのメッシュノードを検索及び選択し、前記ダイナミックゲートウェイノードと前記サービスネットワークとの間の複数の接続を確立するステップと、
全ての前記メッシュノードについて前記サービスネットワークにアクセスする最適経路パスを見付けるために、ルーティング及び経路最適化を実行するステップと、
を有する方法。
【請求項２】
前記メッシュノードを複数のマイクロメッシュに分けるステップ、を更に有する請求項１に記載の方法。
【請求項３】
負荷バランシングを実行するステップであって、前記複数のマイクロメッシュに対して自己パーティショニングを実行するステップを有する、ステップを更に有する請求項２に記載の方法。
【請求項４】
自己回復を実行するステップであって、
再選択基準に従って、前記ダイナミックゲートウェイノードを動的に再選択するステップと、
前記最適経路パスのリンクが切れ又は不安定なとき、前記サービスネットワークへの前記最適経路パスを再ルーティングするステップと、
前記メッシュノードに対して第１のマイクロメッシュから第２のマイクロメッシュへノードの移動を実行するステップと、
のうちの少なくとも１つを有する、ステップを更に有する請求項２又は３に記載の方法。
【請求項５】
前記再選択基準は、ネットワーク輻輳、ノード接続障害、性能評価及びマイクロメッシュ浸透性のうちの少なくとも１つを有する、請求項４に記載の方法。
【請求項６】
前記サービスネットワークとの前記接続の状態を監視し、前記サービスネットワーク内で途絶が生じるとメッシュ障害迂回を通じてゲートウェイバックアップを提供するステップ、を更に有する請求項１乃至５のいずれか一項に記載の方法。
【請求項７】
前記複数のメッシュノードから、少なくとも１つのダイナミックゲートウェイノードとして機能すべき少なくとも１つのメッシュノードを検索及び選択するステップは、
セルラＲＦ基準に従って前記複数のマイクロメッシュのうちの第１のマイクロメッシュ内の全てのゲートウェイ候補をランク付けし、ランク付け結果を生成するステップであって、前記ゲートウェイ候補は、前記第１のマイクロメッシュ内の前記セルラＲＦ基準を満たすメッシュノードである、ステップと、
前記ランク付け結果に従って上位Ｎ個のゲートウェイ候補を選択するステップであって、Ｎは前記第１のマイクロメッシュ内の前記ダイナミックゲートウェイノードの最大数である、ステップと、
マイクロメッシュルーティング基準に従って、前記の選択されたＮ個のゲートウェイ候補からルーティングするステップと、
前記第１のマイクロメッシュ内の全ての前記メッシュノードが完全にカバーされるか否かを決定するステップと、
前記選択されたＮ個のゲートウェイ候補を前記第１のマイクロメッシュ内のダイナミックゲートウェイノードとして報告するステップと、
を有する、請求項２乃至５のいずれか一項に記載の方法。
【請求項８】
前記選択されたゲートウェイ候補を前記ランク付け結果に従って前記他のゲートウェイ候補で置き換え、前記第１のマイクロメッシュ内の全ての前記メッシュノードをカバーするステップ、を更に有する請求項７に記載の方法。
【請求項９】
前記マイクロメッシュルーティング基準は、
エンドメッシュノードから前記サービスネットワークまで最も少ないメッシュノードを有するマイクロメッシュ経路と、
最良のマイクロメッシュＲＦ信号を有するマイクロメッシュ経路と、
最良のマイクロメッシュデータレートを有するマイクロメッシュ経路と、
のうちの少なくとも１つを有する、請求項７に記載の方法。
【請求項１０】
無線通信サービスを提供するサービスネットワークと、
複数のメッシュノードであって、前記メッシュノードの間に複数のリンクが確立され、各リンクは前記メッシュノードのうちの２つを接続し、各メッシュノードは、他のメッシュノードと通信するメッシュノード機能と、前記サービスネットワークへのアクセスを提供するゲートウェイ機能とを有する、メッシュノードと、
前記複数のダイナミックゲートウェイノードであって、前記サービスネットワークへのアクセスを動的に提供し、少なくとも１つのメッシュノードが、前記複数のダイナミックゲートウェイノードのうちの少なくとも１つとして機能するために、前記複数のメッシュノードから選択される、ダイナミックゲートウェイノードと、
を有するＳＡＣＭネットワーク。
【請求項１１】
各前記メッシュノードは、
近隣メッシュノードと接続するＮＡＮ（neighborhood  area  network）通信モジュールと、
前記サービスネットワークと接続するＷＡＮ（wide  area  network）通信モジュールと、
電子装置と接続するＨＡＮ（home  area  network）通信モジュールと、
暗号鍵及び処理に対応するプログラムコードを格納するメモリユニットと、
前記ＷＡＮモジュール、ＮＡＮモジュール、ＨＡＮモジュール及びメモリユニットに結合され、前記ＷＡＮモジュール、ＮＡＮモジュール及びＨＡＮモジュールを管理し、前記処理を実行するために前記プログラムコードを処理するアプリケーションプロセッサモジュールと、
を有する、請求項１０に記載のＳＡＣＭネットワーク。
【請求項１２】
前記処理は、前記サービスネットワークとの前記接続の状態を監視し、前記サービスネットワーク内で途絶が生じるとメッシュ障害迂回を通じてゲートウェイバックアップを提供するステップを更に有する、請求項１１に記載のＳＡＣＭネットワーク。
【請求項１３】
各メッシュノードは、
自身のメッシュ機能及びゲートウェイ機能を自己評価し、
近隣のダイナミックゲートウェイノードを検索し、前記近隣のダイナミックゲートウェイノードが見付かったか否かを決定し、
前記近隣のダイナミックゲートウェイノードが見付かったとき、
セルラＲＦ基準を計算し、前記ＲＦ基準を満たすか否かを決定し、
前記セルラＲＦ基準を満たすとき、ゲートウェイ状態を宣言し、新しいマイクロメッシュを確立する準備を行い、
前記セルラＲＦ基準を満たさないとき、既存のマイクロメッシュに参加又は再参加し、
前記近隣のダイナミックゲートウェイノードが見付からないとき、
前記セルラＲＦ基準を計算し、前記セルラＲＦ基準を満たすか否かを決定し、
前記セルラＲＦ基準を満たすとき、ゲートウェイ状態を宣言し、前記新しいマイクロメッシュを確立する準備を行い、
前記セルラＲＦ基準を満たさないとき、メッシュモード状態を宣言する、
ために用いられる、請求項１１又は１２に記載のＳＡＣＭネットワーク。
【請求項１４】
前記メッシュ機能及びゲートウェイ機能の自己評価は、前記メッシュノードが起動するとき、又はタイマが終了するとき、又はゲートウェイバックアップが利用可能でないときに実行され、前記ゲートウェイバックアップは、既存のマイクロメッシュ内の別のダイナミックゲートウェイノードである、請求項１３に記載のＳＡＣＭネットワーク。
【請求項１５】
メッシュノードが第１のマイクロメッシュに参加／再参加する方法であって、
前記メッシュノード自身のメッシュ機能及びゲートウェイ機能を自己評価するステップと、
近隣のダイナミックゲートウェイノードを検索し、前記近隣のダイナミックゲートウェイノードが見付かったか否かを決定するステップと、
前記近隣のダイナミックゲートウェイノードが見付かったとき、
セルラＲＦ基準を計算し、前記ＲＦ基準を満たすか否かを決定するステップと、
前記セルラＲＦ基準を満たすとき、ゲートウェイ状態を宣言し、第２のマイクロメッシュを確立する準備をするステップと、
前記セルラＲＦ基準を満たさないとき、前記第１のマイクロメッシュに参加又は再参加するステップと、
前記近隣のダイナミックゲートウェイノードが見付からないとき、
前記セルラＲＦ基準を計算し、前記セルラＲＦ基準を満たすか否かを決定するステップと、
前記セルラＲＦ基準を満たすとき、ゲートウェイ状態を宣言し、第２のマイクロメッシュを確立する準備をするステップと、
前記セルラＲＦ基準を満たさないとき、メッシュモード状態を宣言するステップと、
を有する方法。